【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
台所や洗面所などの吐水口部へ給水して吐水するための給水制御装置において、吐水流量及び止水を切り替える流量調節手段と、１つの操作部の操作回数に応じて、あらかじめ設定された複数の吐水流量及び止水となるよう前記流量調節手段を駆動する制御手段とを備え、この制御手段は、吐水開始後に前記操作部の操作時間間隔が所定時間以上に達したときは、次回操作部の操作で前記流量調節手段を止水駆動することを特徴とする給水制御装置。
【請求項２】
台所や洗面所などの吐水口部へ給水して吐水するための給水制御装置において、吐水流量及び止水を切り替える流量調節手段と、１つの操作部の操作時間に応じて、あらかじめ設定された複数の吐水流量及び止水となるよう前記流量調節手段を駆動する制御手段とを備え、この制御手段は前記操作部の操作時間が所定時間未満の時は前記流量調節手段を吐水・止水の切り替え駆動し、前記操作部の操作時間が所定時間以上に達したときは、前記流量調節手段を流量の切り替え駆動することを特徴とする給水制御装置。 
【請求項３】
前記制御手段は止水前の流量設定状態を記憶し、次回再吐水時に前回止水前の流量設定状態となるよう前記流量調節手段を駆動することを特徴とする請求項１または２に記載の給水制御装置。
【請求項４】
前記制御手段は吐水開始時には前記あらかじめ設定された複数の吐水流量の中間流量となるよう前記流量調節手段を駆動することを特徴とする請求項１または２に記載の給水制御装置。
【請求項５】
前記流量調節手段は、通水流路を複数に分岐して、各々の前記通水流路に定流量弁および開閉弁を直列に設けて、前記開閉弁の開閉組み合わせによって流量を切り替えることを特徴とする請求項１ないし４いずれか一項に記載の給水制御装置。
【請求項６】
複数の開閉弁を閉止するときは、定流量弁の流量設定が大きな通水流路の開閉弁から時間差を設けて順次閉止することを特徴とする請求項５に記載の給水制御装置。
【請求項７】
一方の開閉弁を開から閉へ、他方の開閉弁を閉から開へ切り替えて流量調節するときは、両方の開閉弁が同時に開いている時間帯を設けた後に一方の開閉弁を閉止することを特徴とする請求項５に記載の給水制御装置。
【請求項８】
台所や洗面所などの吐水口部へ給水して吐水するための給水制御装置において、吐水温度及び止水を切り替える温度調節手段と、１つの操作部の操作時間に応じて、あらかじめ設定された複数の吐水温度及び止水となるよう前記温度調節手段を駆動する制御手段とを備え、この制御手段は前記操作部の操作時間が所定時間未満の時は前記温度調節手段を吐水・止水の切り替え駆動し、前記操作部の操作時間が所定時間以上に達したときは、前記温度調節手段を温度の切り替え駆動することを特徴とする給水制御装置
【手続補正２】
【補正対象書類名】明細書
【補正対象項目名】０００６
【補正方法】変更
【補正の内容】
【０００６】
本発明の請求項１では、台所や洗面所などの吐水口部へ給水して吐水するための給水制御装置において、吐水流量及び止水を切り替える流量調節手段と、１つの操作部の操作回数に応じて、あらかじめ設定された複数の吐水流量及び止水となるよう前記流量調節手段を駆動する制御手段とを備え、この制御手段は、吐水開始後に前記操作部の操作時間間隔が所定時間以上に達したときは、次回操作部の操作で前記流量調節手段を止水駆動することを特徴とする。
【手続補正３】
【補正対象書類名】明細書
【補正対象項目名】０００７
【補正方法】変更
【補正の内容】
【０００７】
本発明においては、足元など見え難い場所に操作部を設置しても、単純な１つの操作部の繰り返し操作に応じて、あらかじめ設定された複数の吐水流量及び止水が可能となり、使い勝手を向上することができる。
さらに水栓による流量調節の必要がなくなるため、水栓から流量調節機能を削除することができるので構造を簡略化でき、組み合わせて使用する水栓のコストを低減することができる。
また、操作部の操作時間間隔が所定時間以上に達したときは、その設定流量で水栓が使用されたと判断して、次の操作では流量を切り替えずに止水することにより、一回の操作ですぐに止水することができるので、より使い勝手を向上することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項２においては、台所や洗面所などの吐水口部へ給水して吐水するための給水制御装置において、吐水流量及び止水を切り替える流量調節手段と、１つの操作部の操作時間に応じて、あらかじめ設定された複数の吐水流量及び止水となるよう前記流量調節手段を駆動する制御手段とを備え、この制御手段は前記操作部の操作時間が所定時間未満の時は前記流量調節手段を吐水・止水の切り替え駆動し、前記操作部の操作時間が所定時間以上に達したときは、前記流量調節手段を流量の切り替え駆動することを特徴とした。
【手続補正９】
【補正対象書類名】明細書
【補正対象項目名】００１４
【補正方法】変更
【補正の内容】
【００１４】
請求項３においては、前記制御手段は止水前の流量設定状態を記憶し、次回再吐水時に前回止水前の流量設定状態となるよう前記流量調節手段を駆動することとした。
【手続補正１０】
【補正対象書類名】明細書
【補正対象項目名】００１６
【補正方法】変更
【補正の内容】
【００１６】
請求項４においては、前記制御手段は吐水開始時には前記あらかじめ設定された複数の吐水流量の中間流量となるよう前記流量調節手段を駆動することとした。
【手続補正１１】
【補正対象書類名】明細書
【補正対象項目名】００１８
【補正方法】変更
【補正の内容】
【００１８】
請求項５においては、前記流量調節手段は、通水流路を複数に分岐して、各々の前記通水流路に定流量弁および開閉弁を直列に設けて、前記開閉弁の開閉組み合わせによって流量を切り替えることとした。
【手続補正１２】
【補正対象書類名】明細書
【補正対象項目名】００２０
【補正方法】変更
【補正の内容】
【００２０】
請求項６においては、複数の開閉弁を閉止するときは、定流量弁の流量設定が大きな通水流路の開閉弁から時間差を設けて順次閉止することとした。
【手続補正１３】
【補正対象書類名】明細書
【補正対象項目名】００２２
【補正方法】変更
【補正の内容】
【００２２】
請求項７においては、一方の開閉弁を開から閉へ、他方の開閉弁を閉から開へ切り替えて流量調節するときは、両方の開閉弁が同時に開いている時間帯を設けた後に一方の開閉弁を閉止することとした。
【手続補正１４】
【補正対象書類名】明細書
【補正対象項目名】００２４
【補正方法】変更
【補正の内容】
【００２４】
請求項８においては、台所や洗面所などの吐水口部へ給水して吐水するための給水制御装置において、吐水温度及び止水を切り替える温度調節手段と、１つの操作部の操作時間に応じて、あらかじめ設定された複数の吐水温度及び止水となるよう前記温度調節手段を駆動する制御手段とを備え、この制御手段は前記操作部の操作時間が所定時間未満の時は前記温度調節手段を吐水・止水の切り替え駆動し、前記操作部の操作時間が所定時間以上に達したときは、前記温度調節手段を温度の切り替え駆動することを特徴とした。
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】